(57)【要約】  本発明は、ケーブル挿入システムのフレームに関する。当該フレームは、複数のグロメットを受容するように構成され、フレームに対して段差を有し、隣接するフレームよりも小さな高さを有する少なくとも１つのストリップ（２，１２）を備え、ストリップ（２，１２）には、複数のグロメット（２０，１２０，２２０）に設けられる好適な接続装置嵌合部材（２３，１２３，２２３）を受容するように構成される接続装置（３，３'，３''）が配置され、接続装置（３，３'，３''）は、基本的に、複数のグロメットがフレームにおいてフレームに対して垂直な方向にのみ設置されるのを可能とするように配置される。本発明はまた、フレーム内に受容されるケーブル挿入システムのグロメット（２０，１２０，２２０）に関する。【選択図】図１
2013539342.tif 000002
【特許請求の範囲】
【請求項１】
ケーブル挿入システムのフレーム（１，１ａ，１ｂ）であって、
前記フレームは、複数のグロメット（２０，１２０，２２０）を受容するように構成され、
前記フレームに対して段差を有し、隣接する前記フレームよりも小さな高さを有する少なくとも１つのストリップ（２，１２）を備え、
前記ストリップ（２，１２）には、前記複数のグロメット（２０，１２０，２２０）に設けられる好適な接続装置嵌合部材（２３，１２３，２２３）を受容するように構成される接続装置（３，３'，３''）が配置され、
前記接続装置（３，３'，３''）は、基本的に、前記複数のグロメットが前記フレームにおいて前記フレームに対して垂直な方向にのみ設置されるように構成され、
設置される前記複数のグロメットそれぞれについて、少なくとも２つの接続装置（３，３'，３''）が前記ストリップ（２，１２）に配置されるフレーム。
【請求項２】
第１の接続装置（３）と、前記ストリップ（２）において前記第１の接続装置（３）に直接隣接して配置される第２の接続装置（３'）との間の距離が、前記第２の接続装置（３'）と、前記ストリップ（２）上で前記第２の接続装置（３'）と直接隣接して配置される第３の接続装置（３''）との間の距離とは異なる請求項１に記載のフレーム。
【請求項３】
前記フレームは、前記フレームに対して段差を有する２つのストリップ（２，１２）を備え、
前記２つのストリップ（２，１２）はそれぞれ、前記フレームの反対側に設けられる請求項１又は２に記載のフレーム。
【請求項４】
前記接続装置（３，３'，３''）は、突起部である請求項１から３の何れか一項に記載のフレーム。
【請求項５】
前記接続装置（３，３'，３''）は、円筒形状又は円錐台形状を有する請求項１から４の何れか一項に記載のフレーム。
【請求項６】
前記フレーム（１，１ａ，１ｂ）は、複数のサブセグメント（１ａ，１ｂ）により、接続可能である請求項１から５の何れか一項に記載のフレーム。
【請求項７】
前記フレーム（１，１ａ，１ｂ）は、プラスチック材料又は金属で形成されている請求項１から６の何れか一項に記載のフレーム。
【請求項８】
前記フレーム（１，１ａ，１ｂ）は、筐体に取り付けるための固定装置（５）を備える請求項１から７の何れか一項に記載のフレーム。
【請求項９】
前記フレーム（１，１ａ，１ｂ）は、前記複数のグロメット（２０，１２０，２２０）に配置された対応する突起部（Ｂ）を受容する１以上の座部（Ｃ）を備える請求項１から８の何れか一項に記載のフレーム。
【請求項１０】
前記フレーム（１，１ａ，１ｂ）は、安定化要素を受容し、受容する前記複数のグロメット（２０，１２０，２２０）の縁に設けられた切り欠き部（Ａ）に対応する１以上の孔を備える請求項１から９の何れか一項に記載のフレーム。
【請求項１１】
ケーブル挿入システムのフレーム内に受容されるグロメット（２０，１２０，２２０）であって、
本体と、
ケーブルを受容するべく、前記本体の上面から下面まで垂直方向に設けられるスルーホール（２１，１２１，２２１）と、
前記本体に対して横方向に段差を有し、隣接する前記本体よりも小さな高さを有する少なくとも１つのストリップ（２２，１２２，１３２，２２２，２３２，３２２)とを備え、
前記ストリップには、前記フレームに設けられる好適な接続装置嵌合部材（３，３'，３'')を受容するように構成される接続装置（２３，１２３，２２３）が配置され、
前記接続装置（２３，１２３，２２３）は、基本的に、前記グロメットが前記フレームにおいて前記フレームに対して垂直な方向にのみ設置されるように配置されているグロメット。
【請求項１２】
少なくとも２つの接続装置（２３，１２３，２２３）が、前記ストリップ（２２，１２２，１３２，２２２，２３２，３２２）に配置される請求項１１に記載のグロメット。
【請求項１３】
前記ストリップの反対側に位置する前記本体の一面は、横方向に反転して配置される同一のグロメットと係合可能な支持装置（２４）を有する請求項１１に記載のグロメット。
【請求項１４】
前記グロメットは、前記本体に対して段差を有する２つのストリップ（１２２，１３２，２２２，２３２）を備え、
前記２つのストリップはそれぞれ、前記本体を挟んで対向する面に配置される請求項１１又は１２に記載のグロメット。
【請求項１５】
前記接続装置（２３，１２３，２２３）は、切り欠き部である請求項１１から１４の何れか一項に記載のグロメット。
【請求項１６】
前記接続装置（２３，１２３，２２３）は、円筒形状又は円錐台形状を有する、若しくは、一部が円筒形状又は円錐台形状を有する請求項１５に記載のグロメット。
【請求項１７】
前記グロメットは、前記本体の前記スルーホール（２１，１２１，２２１）に容易にアクセス可能となるように、スロット（２５，２２５，３２５）を備える請求項１１から１６の何れか一項に記載のグロメット。
【請求項１８】
前記スロット（２５，２２５，３２５）は、段差（２６）を有する請求項１７に記載のグロメット。
【請求項１９】
前記スロット（２５，２２５，３２５）は、前記スルーホールまで連続しておらず、前記上面から前記下面まで連続していない請求項１７又は１８に記載のグロメット。
【請求項２０】
前記ストリップを有する面に直接隣接する側縁の少なくとも一部に、封止リップ（２７，１２７，２２７，３２７）が設けられている請求項１１から１９の何れか一項に記載のグロメット。
【請求項２１】
前記グロメットは、前記垂直方向に更なる切り欠き部（２２８，３２８）を備える請求項１１から２０の何れか一項に記載のグロメット。
【請求項２２】
前記グロメットは、弾性プラスチック材料から形成される請求項１１から２１の何れか一項に記載のグロメット。
【請求項２３】
前記グロメットは、前記ストリップ（２２，１２２，１３２，２２２，２３２，３２２）に配置される突起部（Ｂ）を備え、
前記突起部（Ｂ）は、前記フレーム（１，１ａ，１ｂ）に設けられた対応する座部（Ｃ）に受容されるように構成されている請求項１１から２２の何れか一項に記載のグロメット。
【請求項２４】
前記グロメットは、安定化要素を受容するべく、縁部に１以上の切り欠き（Ａ）を備える請求項１１から２３の何れか一項に記載のグロメット。
【発明の詳細な説明】
【技術分野】
【０００１】
本発明は、ケーブル挿入システムのフレーム及び対応するグロメットに関する。
【背景技術】
【０００２】
以前より、グロメット及びフレームが知られている。しかしながら、取り扱いで誤りが発生しやすく、取り付けが容易ではなかった。
【０００３】
グロメットの一例が、ＥＰ１２３６２５６に示されている。上記公報に示される一例では、フレームを取り付ける前に全てのグロメットを搭載する必要がある。別の問題としては、異なる直径を有する複数のグロメットを柔軟に割り当てることを骨組みが妨げていることが挙げられる。更なる別の問題としては、フレームによってメンテナンス作業が難しくなることが挙げられ、これは、１つのグロメットを取り替えるのにも、フレームを分解しなければならないからである。
【０００４】
従来のグロメット及びフレームシステムでは、このような問題点が知られていた。
【発明の概要】
【発明が解決しようとする課題】
【０００５】
本発明は、上記の従来技術の１以上の問題を新規な態様で解決する、ケーブル挿入システムのフレーム及びグロメットを提供することを目的とする。
【課題を解決するための手段】
【０００６】
上記の目的は、複数のグロメットを受容するべく提供されるケーブル挿入システムのフレームによって達成される。フレームは、フレームに対して段差を有し、隣接するフレーム部分よりも小さな高さを有する少なくとも１つのストリップを備える。接続装置がストリップに設けられ、接続装置は、グロメットに設けられる好適な接続装置嵌合部材を受容するように構成される。接続装置は、複数のグロメットがフレームにおいてフレームに対して垂直な方向にのみ設置されるのを可能とし、設置される複数のグロメットそれぞれについて、少なくとも２つの接続装置がストリップに配置される。
【０００７】
本発明の更なる実施形態では、第１の接続装置と、ストリップにおいて第１の接続装置に直接隣接して配置される第２の接続装置との間の距離が、第２接続装置と、ストリップ上で第２の接続装置と直接隣接して配置される第３の接続装置との間の距離とは異なっている。
【０００８】
本発明の更なる実施形態では、フレームに対して段差を形成している２つのストリップを有し、２つのストリップはそれぞれ、フレームの反対側に設けられている。
【０００９】
本発明の別の実施形態では、接続装置は、突起部である。
【００１０】
本発明の更なる実施形態では、接続装置は、円筒形状又は円錐台形状を有する。
【００１１】
本発明の更なる別の実施形態では、フレームは、複数のサブセグメントにより、接続可能である。
【００１２】
本発明の更なる別の実施形態では、フレームは、プラスチック材料又は金属で形成されている。
【００１３】
本発明の更なる別の実施形態では、フレームは、筐体に取り付けるための固定装置を備える。
【００１４】
本発明の更なる別の実施形態では、フレームは、複数のグロメットに配置された対応する突起部を受容する１以上の座部を備える。
【００１５】
本発明の更なる別の実施形態では、フレームは、安定化要素を受容し、受容する前記複数のグロメットの縁に設けられた切り欠き部に対応する１以上の孔を備える。
【００１６】
上記の目的は、フレーム内に受容されるケーブル挿入システムのグロメットによって達成される。グロメットは、本体と、ケーブルを受容するべく、本体の上面から下面まで垂直方向に設けられるスルーホールと、本体に対して横方向に段差を有し、隣接する本体よりも小さな高さを有する少なくとも１つのストリップとを備える。ストリップには、フレームに設けられる好適な接続装置嵌合部材を受容するように構成される接続装置が配置され、接続装置は、基本的に、グロメットがフレームにおいてフレームに対して垂直な方向にのみ設置されるのを可能とする。また、少なくとも２つの接続装置が、ストリップに配置される。
【００１７】
本発明の別の実施形態では、ストリップの反対側に位置する本体の一面は、横方向に反転して配置される同一形状のグロメットと係合可能な支持装置を有する。
【００１８】
本発明の更なる別の実施形態では、グロメットは、本体に対して段差を有する２つのストリップを備え、２つのストリップはそれぞれ、本体の反対側に配置される。
【００１９】
本発明の更なる別の実施形態では、接続装置は、切り欠き部である。
【００２０】
本発明の更なる別の実施形態では、接続装置は、円筒形状又は円錐台形状を有する、若しくは、一部が円筒形状又は円錐台形状を有する。
【００２１】
本発明の更なる別の実施形態では、グロメットは、本体のスルーホールに容易にアクセス可能となるように、スロットを備える。
【００２２】
本発明の更なる別の実施形態では、スロットは、段差を有する。
【００２３】
本発明の更なる別の実施形態では、スロットは、スルーホールとは連続的でなく、上面から下面まで連続していない。
【００２４】
本発明の更なる別の実施形態では、ストリップを有する面に直接隣接する側縁の少なくとも一部に、封止リップが設けられている。
【００２５】
本発明の更なる別の実施形態では、グロメットは、垂直方向に更なる切り欠き部を備える。
【００２６】
本発明の更なる別の実施形態では、グロメットは、弾性プラスチック材料から形成される。
【００２７】
本発明の更なる別の実施形態では、グロメットは、ストリップに配置される突起部（Ｂ）を備え、突起部は、フレームに設けられた対応する座部に受容されるように構成されている。
【００２８】
本発明の更なる別の実施形態では、グロメットは、安定化要素を受容するべく、前記縁部に１以上の切り欠きを備える。本発明が、添付の図面に基づいて、以下に詳細に説明される。
【図面の簡単な説明】
【００２９】
【図１】本発明の一実施形態に係るフレーム及び本発明の様々な実施形態に係るグロメットが示された図である。
【図２】本発明の一実施形態に係るフレーム及び本発明の様々な実施形態に係るグロメットが示された図である。
【図３】本発明の第１実施形態に係るグロメットが示された図である。
【図４】本発明の第２実施形態に係るグロメットが示された図である。
【図５】本発明の第３実施形態に係るグロメットが示された図である。
【図６】本発明の第４実施形態に係るグロメットを示した２つの図が示されている。
【図７】本発明の第５実施形態に係るグロメットを示した２つの図が示されている。
【図８】本発明の第６実施形態に係るグロメットを示した２つの図が示されている。
【図９】本発明の第７実施形態に係るグロメットを示した３つの図が示されている。
【図１０】本発明の一実施形態に係るフレームを示した図である。
【図１１】本発明の第８実施形態に係るグロメットを示した図である。
【図１２】本発明の様々な実施形態に係るフレームの詳細を示した図である。
【発明を実施するための形態】
【００３０】
図１には、本発明の一実施形態に係るケーブル挿入システムのフレーム１、及び、本発明の様々な実施形態に係るグロメット２０、１２０が示されている。
【００３１】
図１に示すように、フレーム１は、当該フレームに対して段差を有し、隣接するフレーム１部分よりも高さが低いストリップ２を備える。フレームはまた、段差を有する更なるストリップを備えることができ、例えば、同様な設計を有するストリップ１２を有することができる。
【００３２】
接続装置３、３'、３''が、ストリップ２に配置されて、ストリップ２は、接続装置嵌合部材２３、１２３、２２３を受容するように構成される。
【００３３】
このような接続装置嵌合部材は、例えば、グロメット２０、１２０に設けられる。
【００３４】
接続装置３、３'、３''は、グロメットがフレームに対して実質的に垂直方向にのみ取り付け可能となるような態様で配置されている。この方向は、図面に矢印で示されている。
【００３５】
このように接続装置を配置することにより、グロメットを容易に挿入することができる。更に、フレームは、異なる複数のグロメットを容易に受容することができ、異なる複数のグロメットを受容するのに特別なフレームとする必要がない。更に、１つのグロメットを取り除く場合には、フレーム全体を分解する必要なく当該グロメットをフレームから取り外すことができる。例えば、締め具又は留め具による接続を解除することにより、取り外すことができる。したがって、柔軟性及び組み立ての容易性が大幅に改善される。
【００３６】
更に、上記のような構成によれば、グロメット２０、１２０、２２０を確実にフレームに保持することができる。これは、接続装置の好適な構成によって達成され、例えば、挿入するのに僅かに押圧することが必要となる。また、グロメットに挿入されるケーブルが変形可能となり、接続装置と接続装置嵌合部材との締結接続が可能となる。
【００３７】
フレーム１に受容されるケーブル挿入システムの第１実施形態では、グロメット２０は、本体を有する。本体には、ケーブルを受容するべく、上面から下面へと垂直にスルーホール２１が設けられている。このようなグロメットが、図３に詳細に示されている。
【００３８】
グロメット２０は更に、本体に対して段差を有し、隣接本体部分よりも高さの低いストリップ２２を有する。
【００３９】
接続装置２３がストリップに配置されて、ストリップは、接続装置嵌合部材３、３'、３''を受容するように構成される。
【００４０】
このような接続装置嵌合部材は、例えば、フレームに設けられる。
【００４１】
接続装置２３は、グロメットがフレームに対して垂直方向にのみ取り付け可能となるような態様で配置されている。この方向は、図面に矢印で示されている。
【００４２】
更に、第２実施形態によれば、グロメット１２０をフレーム１に受容させてもよい。このグロメット１２０は、厚みの大きなケーブルを受容するのに適している点で、グロメット２０とは本質的に異なる。このようなグロメットは、図４に詳細に示されている。
【００４３】
フレーム１に受容されるケーブル挿入システムのグロメット１２０は、本体を有する。本体には、ケーブルを受容するべく、上面から下面へと垂直にスルーホール１２１が設けられている。
【００４４】
グロメット１２０は更に、本体に対して段差を有し、隣接本体部分よりも高さの低いストリップ１２２、１３２を有する。
【００４５】
接続装置１２３、２２３が、ストリップに配置されて、ストリップは、接続装置嵌合部材３、３'、３''を受容するように構成されている。
【００４６】
例えば、このような接続装置嵌合部材は、フレームに配置される。
【００４７】
この場合、接続装置１２３、２２３は、グロメットがフレームに対して実質的に垂直方向にのみ取り付け可能となるような態様で配置されている。
【００４８】
図２には、本発明の一実施形態に係るケーブル挿入システムのフレーム１、及び、本発明の様々な実施形態に係るグロメット２２０、３２０が示されている。
【００４９】
第３実施形態に係るグロメット２２０は、図５にも詳細に示されている。第４実施形態に係るグロメット３２０は、図７にも詳細に示されている。
【００５０】
グロメット３２０は、本体に対して段差を有し、隣接する本体部分よりも高さの低いストリップ３２２を有する。
【００５１】
グロメット２０、１２０とは異なり、これらグロメット２２０，３２０は、切り欠き部２２８、３２８を有する。これら切り欠き部を設けることにより、材料を節約することができる。また、切り欠き部２２８を設けることにより、加圧面積を小さくすることができ、下方領域の設計に柔軟性をもたせることができるようになることから、ケーブルの封止を最適化できる。
【００５２】
図５に示すグロメット２２０はスロット２２５を有し、図６、図８及び図９に示すグロメット２０はスロット２５を有し、図７に示すグロメット３２０はスロット３２５を有する。スロットにより、本体に設けられたスルーホール２１、１２１、２２１へのアクセスが容易になる。このような配置により、ケーブルの挿入が簡易になる。無論、スロットを別の側に設けることもでき、具体的には、ストリップ側又はストリップと反対側に位置させることができる。しかしながら、図６から図９では、スロットを横方向に配置させ、設置状態において良好な封止状態が達成されるようにしている。
【００５３】
ケーブルを、スロット２５、２２５、３２５を介してグロメットに挿入することができる。このスロットは、上面において、連続的である又は終端していてもよく、例えば、約１ｍｍの大きさを有する。
【００５４】
スロットは、上面から下面に向かって必ずしも連続的である必要はないが、図６に例示されるように、小さな領域にのみ設計されてもよい。
【００５５】
スロット２５が連続的であるように設計されない場合には、ケーブルの挿入によって裂開される。スロット２５がこのように変化するので、製造に関連する材料の損失なく実装することができ、その結果、封止も最適化される。
【００５６】
更に、図９に示すように、スロットは段差部２６を有することができる。この形状により、グロメット２０が取り付けられる部分に、製造工程に関連して隙間が形成されてしまうのを防ぐことができる。
【００５７】
このような段差部２６は、必ずしも直角の角度を有する必要はなく、先端が尖った形状や、２つの側面に形成されたチャネル形状の類の段差部であってもよい。段差部２６により、スロット２５の封止が改善される。このような段差部は、発火が発生しやすい大気中の機器、又は、湿潤環境下のアプリケーション等で認可を得るのに必要となる場合がある。
【００５８】
更に、グロメットの異なる実施形態では、挿入されたケーブルを良好に封止することを可能とする内側封止リップ２９、１２９、２２９、３２９を設けることができる。このような内側封止リップは、発火が発生しやすい大気中の機器、又は、湿潤環境下のアプリケーション等で認可を得るのに必要となる場合がある。
【００５９】
周囲を囲む内側封止リップ２９、１２９、２２９、３２９が、ケーブルの絶縁部に対して押しつけられて、押圧される結果、ケーブルが封止されて、歪みがなくなる。
【００６０】
更に、グロメットは、１以上の側縁に封止リップ２７、１２７、２２７、３２７を有することができる。例えば、図３から図９に示すグロメットの側縁の少なくとも一部の領域に封止リップを設けることができ、ストリップ２２、１２２、１３２、２２２、２３２、３２２を有する側面に直に隣接する。
【００６１】
封止リップ２７、１２７、２２７、３２７は、互いに横方向に封止する要素を密封する。これら封止リップ２７、１２７、２２７、３２７は、１つの面の両側に配置することができ、封止要素の両側において、高さを補正する。
【００６２】
好ましい態様では、設けられるグロメット２０、１２０、２２０、３２０のそれぞれに対して、少なくとも２つの接続装置３、３'、３''がフレーム１のストリップ２及び／又はストリップ１２に配置される。
【００６３】
図１では、例えば、グロメット２０それぞれに対して、２つの接続装置がストリップ２に設けられる。グロメット１２０それぞれに対して、ストリップ２に４つの接続装置が設けられる。
【００６４】
図２では、グロメット３２０のそれぞれに対して、２つの接続装置がストリップ２に設けられる。グロメット２２０それぞれに対して、４つの接続装置がストリップ２に設けられる。
【００６５】
上記に示した装置の数に限定されず、グロメットのサイズに応じて、３つ、５つ又はそれ以上の接続装置を設けることが可能である。
【００６６】
第１接続装置３から、ストリップ２上で第１接続デバイス３と直接隣接する第２接続装置３'までの距離が、第２接続装置３'から、ストリップ２上で第２接続装置３'が直接隣接する第３接続デバイス３''までの距離と一致しない構成が有利である。
【００６７】
この場合、簡単な機構又は光コードを設けて、取り付けの間違いを防ぐことができる。
【００６８】
更に、フレーム１を、フレーム１に対して段差を有する２つのストリップ２、１２を有するように構成することができ、ストリップを、フレームの反対側に設けることができる。
【００６９】
同様に、グロメット１２０、２２０は、本体に対して段差を有する２つのストリップ１２２、１３２、２２２、２３２を備えてもよく、図４及び図５に示すように、ストリップ１２２、１３２、２２２、２３２が、本体の反対側に設けられる。
【００７０】
フレーム上の接続装置３、３'、３''は、例えば、突起部分として設計される。これらは、グロメット上の、接続装置嵌合部材２３、１２３、１３３、２２３、２３３、３２３に対応する。
【００７１】
これら突起部分３、３'、３''は、任意の好適な形状に形成できる。しかしながら、接続装置３、３'、３''は、円筒形状又は円錐台形状を有するのが望ましい。
【００７２】
同様に、グロメットの接続装置嵌合部材２３、１２３、１３３、２２３、２３３、３２３は、好適な形状を有することができる。しかしながら、ケーブルグロメット接続装置のそれぞれについて、接続装置嵌合部材２３、１２３、１３３、２２３、２３３、３２３が切り欠き部であるのが望ましい。
【００７３】
特に、フレーム１の接続装置３、３'、３''が、円筒形状又は円錐台形状を有するのが望ましい。
【００７４】
同様な望ましい形態では、グロメット２３、１２３、１３３、２２３、２３３、３２３上の接続装置嵌合部材２３、１２３、１３３、２２３、２３３、３２３が、円筒形状又は円錐台形状２３、１２３、２２３、３２３、若しくは、部分的に円筒形状又は円錐台形状の切り欠き部１３３、２３３に設計される。
【００７５】
更に、全ての実施形態に係るグロメットは、グロメット２３、１２３、１３３、２２３、２３３、３２３上の接続装置嵌合部材２３、１２３、１３３、２２３、２３３、３２３に加えて、又は、これに替えて、突起部Ｂを有してもよい。一例として、このような突起部Ｂが図１１に示されている。本体と比較して薄くなっており段差部を形成しているストリップ２２、１２２、１３２、２２２、２３２、３２２である場合には、このような突起部Ｂが特に有用である。突起部Ｂは、一例として、Ｔ型の形状を有するように設計されており、ケーブルに対して垂直な面（垂直方向）にケーブルを安定させることができる。突起部Ｂを、段差部として形成されたストリップに向かって、厚みが大きくなるように形成してもよく、このように形成することにより、図１２に示すような、フレーム１ａに好適な座部Ｃに挿入するのが容易となる上、座部に対する簡易な位置合わせが可能となる。更に、全ての実施形態に係るグロメットでは、更に又はこれに替えて、縁部に１以上の切り欠きを備えることができる。フレーム１及びグロメットが備えられた後に、安定化要素をこれら切り欠きＡに受容させることができ、安定化要素により、ケーブル１方向（垂直方向）におけるフレーム１及び／又はフレーム１内のグロメットに対して、更なる安定性が付与される。フレーム１又はフレーム部分１ａ、１ｂは、この目的で、対応する開口部を有してもよく、それにより、安定化要素を容易に挿入することが可能となる。安定化要素は、例えば、ピン又はネジとして設計される。更に、グロメット２０、３２０は、支持装置２４、３２４を有してもよい。
【００７６】
これら支持装置２４、３２４は、本体のストリップの反対側に位置する面に設けられる。
【００７７】
これら支持装置２４、３２４は、図１及び図２から明らかなように、横方向に反転して配置されている別のグロメットの同一構成の支持装置２４、３２４と係合させることができる。
【００７８】
支持装置２４、３２４をグロメット２０、３２０の一面に配置することにより、グロメット２０、３２０を互いに支持させることができる。この安定化により、グロメット２０、３２０が内側に折れ曲がるのを防ぐだけでなく、支持装置２４、３２４により、対となる支持装置が設置されるとグロメット２０、３２０が互いに対応する位置に配置されるので、設置が容易になる。
【００７９】
図１、２及び１０に示すように、フレーム１は、設置のための固定装置５を筐体に備えることができる。これら固定装置５は、孔として設計されてもよく、例えば、この孔にネジを使用して、フレームを筐体に固定することができる。
【００８０】
本発明によれば、図１０に示すように、フレーム１は、例えば、共に、差し込むことができるような複数のサブセグメント１ａ、１ｂを備えてもよい。
【００８１】
このように構成することにより、中間部材を挿入可能とする柔軟性を提供することができ、多数のグロメットを使用する又は大きなグロメットを使用することが可能となる。
【００８２】
接続装置３、３'、３''は、フレーム１ａ、１ｂが複数のパーツで構成される設計である場合も含めて、グロメット２０、１２０、２２０、３２０が、サブセグメント１ａ、１ｂのうちの１つと係合するように構成されている。
【００８３】
様々な実施形態に係るグロメットは、例えば、互いに混合して使用されてもよい。
【００８４】
本発明に係るグロメットは、特に、弾性プラスチック材料から容易に製造される。フレーム１又はフレームのセグメント１ａ、１ｂも同様に、プラスチック材料又は金属から製造できる。
【００８５】
上記したように、本発明が提供するフレーム及びグロメットによれば、中間的な梁を使用することなく、様々なサイズのグロメット２０、１２０、２２０、３２０を、フレーム１と同様の形態において搭載可能である。接続装置３、３'、３''間の間隔が、機械的又は光学的コードとして機能するので、設置の誤りを防ぐことができる。
【００８６】
ケーブルの方向、すなわち、フレームに対して垂直方向にグロメット２０、１２０、２２０、３２０を設置できるので、容易に組み立て及び分解ができる。
【００８７】
また、フレーム１に又はフレームセグメント１ａ、１ｂに、若しくは、図１２に示すように接続装置３、３''に、光学的及び／又は触覚的な印を設けることが可能であり、これにより、正確で確実な結合が可能となる。これにより、ケーブル又は関連するグロメットの好適なドキュメンテーションが目的の態様で行われることとなることから、構築、ドキュメンテーション及び後のケーブルの設置を大幅に容易に行うことができる。
【符号の説明】
【００８８】
１  フレーム、１ａ，１ｂ  フレームサブセグメント、２，１２  ストリップ、３，３'，３"  接続装置、５  固定装置、  ２０，１２０，２２０，３２０  グロメット、２１，１２１，２２１，３２１  孔、２２，１２２，１３２，２２２，２３２，３２２  ストリップ、２３，１２３，１３３，２２３，２３３，３２３  接続装置嵌合部材、２４，３２４  支持装置、２５，２２５，３２５  スロット、２６  段差部、２７，１２７，２２７，３２７  封止リップ、２２８，３２８  切り欠き部、２９，１２９，２２９，３２９  封止リップ、Ａ  切り欠き、Ｂ  突起部、Ｃ  座部
【図１】
2013539342.tif 000003
【図２】
2013539342.tif 000004
【図３】
2013539342.tif 000005
【図４】
2013539342.tif 000006
【図５】
2013539342.tif 000007
【図６】
2013539342.tif 000008
【図７】
2013539342.tif 000009
【図８】
2013539342.tif 000010
【図９】
2013539342.tif 000011
【図１０】
2013539342.tif 000012
【図１１】
2013539342.tif 000013
【図１２】
2013539342.tif 000014
【国際調査報告】
2013539342.tif 000015
2013539342.tif 000016
2013539342.tif 000017
2013539342.tif 000018